(57)【特許請求の範囲】
【請求項１】
部品を収納する外郭と、前記外郭内に設けられ前記部品を冷却するための冷却ファンと、前記外郭の前面にグリルを設ける開口部と、前記開口部に隣り合う前記部品側の前記外郭に設けられ、前記冷却ファンの風を前記グリル側に排出する吹出口と、を備えた加熱調理器であって、
前記グリルには、前記開口部の奥に形成され、発熱して被加熱物を加熱するグリルヒーターをその内部に設けたグリル加熱室と、前記開口部を覆い開閉自在に配されたグリル扉と、を備え、
前記グリル扉の前面の全部あるいは一部を覆うガード部材を前記グリル扉に着脱自在に取り付け、前記冷却ファンの送風により加熱手段に電源を供給する電源回路を冷却した後、前記吹出口と対向する前記グリル扉を経路として前記グリル扉の前面と前記ガード部材との隙間に前記吹出口から排出された冷却風を送風させることを特徴とする加熱調理器。
【請求項２】
更に、前記グリルには、前記グリル加熱室に隣接して設けられ、前記外郭を構成する前面操作部と、前記外郭下面に設けた吸気口と、前記外郭後方に設けた排気口と、を備え、
前記冷却ファンは前記外郭内の前方に配置され、前記吹出口は前記前面操作部の前記外郭前方側側面に設けて、冷却風を前記排気口へと送風し、前記冷却風の一部を前記吹出口へと送風し、前記吹出口からの前記冷却風を前記グリル扉の前面と前記ガード部材との隙間に送風することを特徴とする請求項１に記載の加熱調理器。
【請求項３】
部品を収納する外郭と、前記外郭に設けた吹出口と、前記外郭内に設けられ前記部品を冷却するための冷却ファンと、前記外郭の前面にグリルを設ける開口部と、を備えた加熱調理器であって、
前記グリルには、前記開口部の奥に形成され、発熱して被加熱物を加熱するグリルヒーターをその内部に設けたグリル加熱室と、前記開口部を覆い開閉自在に配されたグリル扉と、を備え、
更に、前記グリルには、前記グリル加熱室の外壁と前記グリル加熱室の外壁と対向する外郭側壁との間に設けられ、前記外郭前後方向に対して前方に偏らせて配置された第２の冷却ファンと、前記外郭に前記第２の冷却ファンにより前記外郭外の空気を吸気するため設けられた第２の吸気口と、前記グリル加熱室側前方で前記グリル扉側面に向けて前記第２の冷却ファンの冷却風を送風する第２の吹出口と、を備え、
前記第２の冷却ファンは、前記第２の吸気口から吸気した風を前記外郭と前記グリル加熱室の前記外郭側壁面間を通り排気口から排出させて、前記第２の吹出口を経路として前記グリル扉の前面と、前記グリル扉に着脱自在に取り付けられ、前記グリル扉の前面の全部あるいは一部を覆うガード部材との隙間に対して送風することを特徴とする加熱調理器。
【請求項４】
更に、前記グリルには、前記グリル扉前面に設けられた前記グリル扉を開閉するための持ち手と、ガード部材を形成する前記グリル扉に対向して配置された遮蔽部及び前記遮蔽部前面から前方に突出するように形成された持ち手カバーと、を備え、前記ガード部材は前記持ち手カバーが前記持ち手と嵌合することにより前記グリル扉に取り付けられることを特徴とする請求項１〜３のいずれか１項に記載の加熱調理器。
【請求項５】
前記グリル扉に前記ガード部材を複数取り付け、前記ガード部材同士または前記グリル扉と前記グリル扉に対向する前記ガード部材の隙間のいずれかに前記冷却ファンによる冷却風を送風することを特徴とする請求項１〜４のいずれか１項に記載の加熱調理器。
【請求項６】
前記グリル扉に前記ガード部材を複数取り付け、前記ガード部材同士または前記グリル扉と前記グリル扉に対向する前記ガード部材の隙間のいずれかに前記第２の冷却ファンによる冷却風を送風することを特徴とする請求項３に記載の加熱調理器。
【請求項７】
前記ガード部材は前記グリル扉と比較して熱伝導率の低い材料を用いたことを特徴とする請求項１〜６に記載の加熱調理器。
【請求項８】
前記ガード部材は前記グリル扉と比較して耐熱性の低い材料を用いたことを特徴とする請求項１〜７に記載の加熱調理器。
【請求項９】
更に、前記グリルには、前記グリル扉からの熱影響を抑制する効果を有する熱反射板を備え、前記熱反射板を前記遮蔽部又は前記グリル扉前面のいずれかに設けたことを特徴とする請求項４に記載の加熱調理器。
【請求項１０】
更に、前記グリルには、前記グリル扉からの熱影響を抑制する効果を有する断熱材を備え、前記断熱材を前記遮蔽部又は前記グリル扉前面のいずれかに設けたことを特徴とする請求項４に記載の加熱調理器。
【発明の詳細な説明】
【技術分野】
【０００１】
本発明は、一般家庭の台所や業務用の厨房等で使用される、グリル加熱室を備えた加熱調理器に関するものである。
【背景技術】
【０００２】
従来この種の加熱調理器におけるグリル（ロースター）の概略構成は、本体内にグリル加熱室（調理室）を配設して調理物を載せる網を載置した受け皿を収納して、発熱して被加熱物を加熱するグリルヒーターにより加熱調理を行うものが一般的である（例えば、特許文献１参照）。
【先行技術文献】
【特許文献】
【０００３】
【特許文献１】特開平１０−３００１０２号公報
【発明の概要】
【発明が解決しようとする課題】
【０００４】
しかしながら、前記従来の構成では、グリル加熱室のグリル扉はグリルヒーターに熱せられた庫内の熱影響により熱くなってしまう。そのため、取り扱い説明書にその旨を記載するとか、グリル扉に「高温注意」等の文字を印刷して注意を促しても、文字の読めない幼児等はグリル使用中あるいは使用直後のグリル扉が熱い時に触ってしまう可能性があった。また、特に内部を観察できるよう、グリル扉はガラス製の窓部を有する場合が殆どで、この場合ヒーターから受ける熱が直接製品外面に伝わる為、グリル扉の内では最も熱くなり易い部分となる。
【０００５】
本発明は、前記従来の課題を解決するもので、使い勝手を損なうことなく、グリル扉を幼児等がうっかり触っても熱くない加熱調理器を提供することを目的とする。
【課題を解決するための手段】
【０００６】
前記従来の課題を解決するために、本発明の加熱調理器は、部品を収納する外郭と、前記外郭内に設けられ前記部品を冷却するための冷却ファンと、前記外郭の前面にグリルを設ける開口部と、前記開口部に隣り合う前記部品側の前記外郭に設けられ、前記冷却ファンの風を前記グリル側に排出する吹出口と、を備えた加熱調理器であって、前記グリルには、前記開口部の奥に形成され、発熱して被加熱物を加熱するグリルヒーターをその内部に設けたグリル加熱室と、前記開口部を覆い開閉自在に配されたグリル扉と、を備え、前記グリル扉の前面の全部あるいは一部を覆うガード部材を前記グリル扉に着脱自在に取り付け、前記冷却ファンの送風により加熱手段に電源を供給する電源回路を冷却した後、前記吹出口と対向する前記グリル扉を経路として前記グリル扉の前面と前記ガード部材との隙間に前記吹出口から排出された冷却風を送風させることを特徴としている。
【０００７】
この構成により、グリル使用中あるいは使用直後のグリル扉が熱い時においても使用者はグリル扉を直接触れることが無く、グリル扉からガード部材への熱影響を抑制することで、触れる可能性の高いガード部材の温度を低減し、製品としての安全性を一層高めることができる。また、外郭に吹出口を設けていることで、特別な経路を設けることなく、冷却ファンの送風により加熱手段に電源を供給する電源回路を冷却した後、簡便にグリル扉とガード部材の隙間に冷却風を導くことができるのである。
【発明の効果】
【０００８】
本発明の加熱調理器によれば使い勝手を損なうことがなく、グリル使用中あるいは使用直後のグリル扉が熱い時においても、グリル扉を幼児等がうっかり触っても熱くないようにすることができる。また、外郭に吹出口を設けていることで、特別な経路を設けることなく、冷却ファンの送風により加熱手段に電源を供給する電源回路を冷却した後、簡便にグリル扉とガード部材の隙間に冷却風を導くことができるのである。
【図面の簡単な説明】
【０００９】
【図１】本発明の第１の実施形態における加熱調理器の外観を示す斜視図
【図２】同主要構成部品を示す分解斜視図
【図３】同要部を示す分解斜視図
【図４】同要部を示す組立斜視図
【図５】同要部を示す断面図
【図６】本発明の第２の実施形態における加熱調理器の主要構成部品を示す分解斜視図
【図７】本発明の第３の実施形態における加熱調理器の主要構成部品を示す分解斜視図
【図８】本発明の第４の実施形態における加熱調理器の主要構成部品を示す分解斜視図
【図９】本発明の第１〜４の実施形態における加熱調理器の同要部を示す分解斜視図
【発明を実施するための形態】
【００１０】
第１の発明は、部品を収納する外郭と、前記外郭内に設けられ前記部品を冷却するための冷却ファンと、前記外郭の前面にグリルを設ける開口部と、前記開口部に隣り合う前記部品側の前記外郭に設けられ、前記冷却ファンの風を前記グリル側に排出する吹出口と、を備えた加熱調理器であって、前記グリルには、前記開口部の奥に形成され、発熱して被加熱物を加熱するグリルヒーターをその内部に設けたグリル加熱室と、前記開口部を覆い開閉自在に配されたグリル扉と、を備え、前記グリル扉の前面の全部あるいは一部を覆うガード部材を前記グリル扉に着脱自在に取り付け、前記冷却ファンの送風により加熱手段に電源を供給する電源回路を冷却した後、前記吹出口と対向する前記グリル扉を経路として前記グリル扉の前面と前記ガード部材との隙間に前記吹出口から排出された冷却風を送風することにより、グリル使用中あるいは使用直後のグリル扉が熱い時においてもグリル扉を直接触れることがないので安全性が一層高まる。また、ガード部材を着脱自在とすることにより、不要な場合は取り外して美観を損ねることなく使用することができ、ガード部材及びグリル扉両方の清掃性も良くなる。グリル扉とガード部材の隙間を設けることで、隙間による空気層で断熱効果を得ることができる。更に、グリル扉の前面とガード部材の隙間に冷却風を送風することで、触れる可能性の高いガード部材の温度を低減し、安全性を高めることができる。また、外郭に吹出口を設けていることで、特別な経路を設けることなく、冷却ファンの送風により加熱手段に電源を供給する電源回路を冷却した後、簡便にグリル扉とガード部材の隙間に冷却風を導くことができるのである。
【００１１】
第２の発明は、特に、第１の発明において、更に、前記グリルには、前記グリル加熱室に隣接して設けられ、前記外郭を構成する前面操作部と、前記外郭下面に設けた吸気口と、前記外郭後方に設けた排気口と、を備え、前記冷却ファンは前記外郭内の前方に配置され、前記吹出口は前記前面操作部の前記外郭前方側側面に設けて、冷却風を前記排気口へと送風し、前記冷却風の一部を前記吹出口へと送風し、前記吹出口からの前記冷却風を前記グリル扉の前面と前記ガード部材の隙間に送風することにより、後方に冷却ファンを配置する場合と比べて、外郭内部の影響の少ない外気温に近い冷却風を吸気口から得ることができ、グリル扉とガード部材との隙間に送風することができるので、より簡単な構成で実現できることになる。
【００１２】
第３の発明は、部品を収納する外郭と、前記外郭に設けた吹出口と、前記外郭内に設けられ前記部品を冷却するための冷却ファンと、前記外郭の前面にグリルを設ける開口部と、を備えた加熱調理器であって、前記グリルには、前記開口部の奥に形成され、発熱して被加熱物を加熱するグリルヒーターをその内部に設けたグリル加熱室と、前記開口部を覆い開閉自在に配されたグリル扉と、を備え、更に、前記グリルには、前記グリル加熱室の外壁と前記グリル加熱室の外壁と対向する外郭側壁との間に設けられ、前記外郭前後方向に対して前方に偏らせて配置された第２の冷却ファンと、前記外郭に前記第２の冷却ファンにより前記外郭外の空気を吸気するため設けられた第２の吸気口と、前記グリル加熱室側前方で前記グリル扉側面に向けて前記第２の冷却ファンの冷却風を送風する第２の吹出口と、を備え、前記第２の冷却ファンは、前記第２の吸気口から吸気した風を前記外郭と前記グリル加熱室の前記外郭側壁面間を通り排気口から排出させて、前記第２の吹出口を経路として前記グリル扉の前面と、前記グリル扉に着脱自在に取り付けられ、前記グリル扉の前面の全部あるいは一部を覆うガード部材との隙間に対して送風することにより、１つのファンを後方あるいは前方に配置している場合に比べて、グリル扉とガード部材への送風をより簡便にできる。更に前記外郭と前記グリル加熱室の前記外郭側壁面間を通り排気口から排出させることにより、外郭全体の冷却性能の向上を実現できるものである。
【００１３】
第４の発明は、特に、第１〜３のいずれか１つの発明において、更に、前記グリルには、前記グリル扉前面に設けられた前記グリル扉を開閉するための持ち手と、ガード部材を形成する前記グリル扉に対向して配置された遮蔽部及び前記遮蔽部前面から前方に突出するように形成された持ち手カバーと、を備え、前記ガード部材は前記持ち手カバーが前記持ち手と嵌合することにより前記グリル扉に取り付けられることにより、締結部材等を使わずにガード部材をグリル扉に着脱できるとともに冷却効果の向上ができる。
【００１４】
第５の発明は、特に、第１〜４のいずれか１つの発明において、前記グリル扉に前記ガード部材を複数取り付け、前記ガード部材同士または前記グリル扉と前記グリル扉に対向する前記ガード部材の隙間のいずれかに前記冷却ファンによる冷却風を送風することにより、複数取り付けることでの熱影響を持つグリル扉と触れる可能性のあるガード部材との離隔距離を大きくすることができ、より安全性を高めることができる。
【００１５】
第６の発明は、特に、第３の発明において、前記グリル扉に前記ガード部材を複数取り付け、前記ガード部材同士または前記グリル扉と前記グリル扉に対向する前記ガード部材の隙間のいずれかに前記第２の冷却ファンによる冷却風を送風することにより、複数取り付けることでの熱影響を持つグリル扉と触れる可能性のあるガード部材との離隔距離を大きくすることができ、より安全性を高めることができる。
【００１６】
第７の発明は、特に、第１〜６のいずれか１つの発明において、前記ガード部材は前記グリル扉と比較して熱伝導率の低い材料を用いたことにより、グリル扉からの熱影響を軽減することができる。
【００１７】
第８の発明は、特に第１〜７のいずれか１つの発明において、前記ガード部材は前記グリル扉と比較して耐熱性の低い材料を用いたことにより、安価に構成することができる。
【００１８】
第９の発明は、特に、第４の発明において、更に、前記グリルには、前記グリル扉からの熱影響を抑制する効果を有する熱反射板を備え、前記熱反射板を前記遮蔽部又は前記グリル扉前面のいずれかに設けたことにより、グリル扉からガード部材への熱影響を低減させることができる。
【００１９】
第１０の発明は、特に第４の発明において、更に、前記グリルには、前記グリル扉からの熱影響を抑制する効果を有する断熱材を備え、前記断熱材を前記遮蔽部又は前記グリル扉前面のいずれかに設けたことにより、グリル扉からガード部材への熱影響を低減させることができる。
【００２０】
以下、本発明の実施の形態について、図面を参照しながら説明する。なお、この実施の形態によって本発明が限定されるものではない。尚、実施の形態の説明順序は上記に記載の発明の順序とは異なる場合がある。
【００２１】
（実施の形態１）
図１は、本発明の第１の実施形態における加熱調理器の外観を示すものである。以下、図面を用いて説明する。
【００２２】
尚、本実施の形態は天面近傍に配した加熱手段が電磁誘導加熱式のものについてのものであるが、本発明がこの方式に限定されるものではない。
【００２３】
外郭１の天面には、被加熱調理器具を載置する天板２が配されている。天板２は高耐熱のガラス等の、電磁誘導によって加熱されない材質で構成されている。トップフレーム３は、天板２の外周を囲み、本体の天面の一部もしくは殆ど全部を構成しており、天板２を介して伝わる、被加熱物からの熱に十分耐え、且つ外観部品として見栄えのよく、腐食に
も強いステンレスやホーロー処理鋼板等の金属から成っている。
【００２４】
トップフレーム３に形成された天面操作部４の内部には、操作部ユニット等が配設されている。
【００２５】
図２は、本発明の実施形態における加熱調理器の主要構成部品を示すものである。但し、
実施形態の説明に不要な構成部分については主要構成であっても省略している。
【００２６】
図２において、天板２の下方には誘導加熱コイル６が近接して設けられている。誘導加熱コイル６はコイルケース７に収納され、外郭１内の所定の位置に保持されている。誘導加熱コイル６には電源回路８によって高周波電力が供給される。外郭１の後ろ側面に設けた図示していない吸気口により本体後方から吸気し、誘導加熱コイル６及び電源回路８は冷却ファン９の送風によって冷却される。また、本発明においては、図２、図６〜９の冷却ファン９の送風を有効利用している。
【００２７】
外郭１内には略箱形状のグリル加熱室１０が配設されており、グリル加熱室１０内に発熱して被加熱物を加熱するグリルヒーター１１によって加熱調理を行う。
【００２８】
グリル加熱室１０内には、調理物を載せる焼き網１２を載置した受け皿１３を収納してある。
【００２９】
グリル使用時はグリル加熱室１０の開口部を覆うグリル扉１４は受け皿１３に嵌着されており、グリル扉１４と受け皿１３は連動して前後に摺動する。
【００３０】
グリル扉１４は、金属等に対して熱伝導率の低い合成樹脂等により形成された持ち手１５や、グリル内部での調理物の状態を観察できるように、ガラス等の耐熱性を有し且つ透明なガラス等から成る窓部１６等で構成されている。
【００３１】
図３はグリル扉１４部分及びガード部材１７を示すものである。
【００３２】
ガード部材１７はグリル扉１４の窓部１６を含む前面の大部分を覆う遮蔽部１９と、グリル扉１４の持ち手１５の左右端近傍を覆っている持ち手カバー部２０等により構成されている。持ち手カバー部２０の裏面には、グリル扉１４の持ち手１５に形成した穴部２１に相対する位置に突起２２が形成されており、突起２２を穴部２１に嵌合させて固定する。
【００３３】
図４及び図５は、ガード部材１７をグリル扉１４に嵌着した状態を示すものである。
【００３４】
この構成により、グリル使用中あるいは使用直後でのグリル扉１４が熱い時においても、特に内部を観察できるようにガラス等の透明材料を用いて１層で形成するが故に、グリルヒーター１１の熱が直接製品外面に伝わる窓部１６に直接触れることがないので安全性が一層高まる。また、着脱自在として使用者でも着脱可能とすることにより、使用実態によっては不要な場合はガード部材１７を取り外して本来の製品状態で使用することができ、ガード部材及びグリル扉両方の清掃性も良くなる。
【００３５】
また、グリル扉１４の持ち手１５にガード部材１７の一部である持ち手カバー部２０を嵌着したことにより、一般にグリル扉１４の中では比較的にグリルヒーター１１の熱が伝わりにくく構成し、且つ材質も金属等に比べて熱伝導率の低い合成樹脂等によって形成される持ち手１５からは殆ど熱が伝わらない為、ガード部材１７としての機能が更に高まる
。
【００３６】
また、持ち手１５に形成した穴部２１にガード部材１７の持ち手カバー部２０に形成した突起２２を嵌合させて固定することにより、締結部材等を使わずに取り付けられる為、工具等を使用しなくても装着でき、簡便で且つ取り外しが容易な為、手入れ性も良い。
【００３７】
また、ガード部材１７をグリル扉１４に装着した状態において、グリル扉１４の前面とガード部材１７との間には隙間を設けてあり、空気層２３が形成されている。これにより、空気層２３の断熱効果も手伝って、グリル扉１４に触れた時に熱くないようにするガードとしての機能がより一層高まる。
【００３８】
また、図２、図５に示すように、冷却ファン９から送風された風が、外郭１に設けた吹出口１８から排出されて、グリル扉１４の側面を経路として、ガード部材１７とグリル扉１４の隙間である空気層２３に送風されることでガード部材１７とグリル扉１４ともに冷却されて、グリル扉１４に触れた時に熱くないようにし、ガード部材１７としての機能がより一層高まる構成となっている。
【００３９】
グリル扉１４とガード部材１７との隙間である空気層は、一般的に冷却風が通過することができる２ｍｍ以上の隙間を設けていることにより、容易に冷却することを可能とする。
【００４０】
グリル扉１４は一般的に熱伝導率・熱膨張率が小さく急熱急冷時に割れることを防止する特徴を持つ耐熱性の高いガラスを用いられることが多い。しかし、ガード部材１７とグリル扉１４の隙間に設けた空気層２３による断熱効果及び冷却風による冷却効果によってガード部材１７の温度上昇が抑えられるため、ガード部材１７は耐熱性の高いガラスを用いる必要がなくなる。
【００４１】
更に、ガード部材１７の材料は、透明性を有する合成樹脂で形成しており、これにより、グリル扉１４の窓部１６からのグリル庫内の観察を妨げることなくガードとしての機能を果たすことができ、清掃する際も透明であることにより、汚れの度合いを使用者が把握することができるため、清掃性にも優れている。また、透明であることより熱を遮断できる効果を備えている。
【００４２】
ここで、本発明の実施の形態においては、グリル扉１４の隙間に設けた空気層２３による断熱効果及び冷却風による冷却効果によってガード部材１７の温度上昇が抑えられるため、ガード部材１７はグリル扉１４と比較して熱伝導率の低い材料を用いても、グリル扉１４からの熱影響を軽減することができる。ガード部材１７が熱伝導率の低い材料であるため、使用者が触れる可能性がある側の温度は低くなる。
【００４３】
ここで、本発明の実施の形態においては、グリル扉１４の隙間に設けた空気層２３による断熱効果及び冷却風による冷却効果によってガード部材１７の温度上昇が抑えられるため、ガード部材１７はグリル扉１４と比較して耐熱性の低い材料を用いることが可能である。
【００４４】
ここで、本発明の実施の形態においては、ガード部材１７を構成する遮蔽部１９と持ち手カバー部２０は、別体であり別の材料を使用しているものであるが、一体で同じ材料を使用した場合でも同様の効果が得られる。
【００４５】
ここで、本発明の実施の形態においてはグリル扉１４の持ち手をグリル扉１４の下部に設けたものであるが、グリル扉１４の上部に持ち手を設けたものであっても同様の効果が
得られる。合わせて、本発明の実施の形態においては、ガード部材１７の持ち手カバー部２０は、下部に設けたものであるが、ガード部材１７の上部に持ち手カバー部を設けたものであっても同様の効果が得られる。
【００４６】
ここで、本発明の実施の形態においてはグリル扉１４の持ち手をグリル扉１４の下部に設けたものであるが、グリル扉１４のあらゆる所に持ち手を設けたものであっても、グリル扉１４の位置に対向した位置にガード部材１７の持ち手カバー部２０に設けることで、同様の効果が得られる。
【００４７】
ここで、本発明の実施の形態においてはグリル扉１４の持ち手をグリル扉１４の下部に設けたものであり、ガード部材１７の持ち手カバー部２０を下部に設けて、下部を嵌合させて固定しているが、グリル扉１４及びガード部材１７それぞれの上部にも嵌合などの方法で固定させた場合でも同様の効果が得られる。
【００４８】
ここで、本発明の実施の形態においては、ガード部材１７に突起２２があり、グリル扉に穴部２１がある場合であるが、ガード部材１７に穴部があり、グリル扉１４に突起がある場合でも同様の効果が得られる。
【００４９】
ここで、本発明の実施の形態においては、ガード部材１７とグリル扉１４の締結方法を穴部と突起による嵌合を用いているが、嵌合を用いずにねじなどによる締結部材を使用した場合であっても同様の効果が得られる。
【００５０】
ここで、本発明の実施の形態においては、ガード部材１７とグリル扉１４の締結方法を穴部と突起による嵌合を用いているが、嵌合を用いて且つねじなどの締結部材を使用した場合であっても同様の効果が得られる。
【００５１】
ここで、本発明の実施の形態においては、ガード部材１７の持ち手カバー部２０は遮蔽部１９の左右端近傍に配置されて、必然的に突起も左右端近傍に配置されているが、グリル扉１４の持ち手の穴部位置が例えば中央であったならば、持ち手カバー部２０の穴部に対向する位置に突起を設けることで同様の効果が得られる。
【００５２】
グリル扉１４の締結方法を穴部と突起による嵌合を用いているが、嵌合を用いて且つねじなどの締結部材を使用した場合であっても同様の効果が得られる。
【００５３】
また、図９に示すように、ここでガード部材１７を構成する遮蔽部１９にグリル扉１４からの熱影響を抑制する効果を有する熱反射板２７を備えることで、グリル扉１４からの輻射熱を反射させ、ガード部材１７に熱を伝わりにくくすることができる。
【００５４】
また、熱反射板２７は遮蔽部１９のグリル扉１４側に備えても、使用者側に備えても同様の効果が得られる。
【００５５】
また、熱反射板２７はグリル扉１４前面に備えても同様の効果が得られる。
【００５６】
熱反射板２７は例えばアルミ断熱シートのような、熱反射率が高いものを用いる。
【００５７】
また、図９に示すように、ここでガード部材１７を構成する遮蔽部１９にグリル扉１４からの熱影響を抑制する効果を有する断熱材２７を備えることで、グリル扉１４からの熱をより断熱し、ガード部材１７に熱を伝わりにくくすることができる。断熱材２７は、熱反射率が高く、熱伝導率が低いものを用いていることは言うまでもない。また、断熱材２７は遮蔽部１９に取り付ける際、接着によって取り付けることで、組立性が容易となる。
【００５８】
また、断熱材２７は、塗布することができるものを用いても同様の効果を発揮することができる。
【００５９】
また、熱反射板２７はグリル扉１４前面に備えても同様の効果が得られる。
【００６０】
（実施の形態２）
本発明の第２の実施形態における加熱調理器は、図５のガード部材１７とグリル扉１４の隙間である空気層２３に、図６における本体前方に配置した冷却ファン９から送風することでガード部材１７とグリル扉１４ともに冷却されて、グリル扉１４に触れた時に熱くないようにし、ガード部材１７としての機能がより一層高まる構成となっている。また、前方に配置した冷却ファン９は、外郭１底面に図示してない吸気口を設け本体下方から吸気し、本体内の誘導加熱コイル６及び電源回路８などを冷却し、後方に排気する。冷却ファン９を本体前方に設置することにより、同じく本体前方に位置するグリル扉１４とガード部材１７の隙間により強い冷却風を送風することで、より効率的にガード部材１７としての機能がより一層高まる構成となっている。また、グリル加熱室１０に隣接して設けられた前面操作部５の本体前方側側面に吹出口を設けて、その吹出口からグリル扉１４の側面を冷却風の経路として用いることで、グリル扉１４とガード部材１７の隙間に冷却風を導くことができる。
【００６１】
（実施の形態３）
本発明の第３の実施形態における加熱調理器は、図７において、本体内に冷却ファン９を、第２の冷却ファン２４をグリル加熱室１０とグリル加熱室１０が配置されている側の本体外郭との間に配置して、前記本体前方を図示していない吸気口として、前記本体外郭とグリル加熱室１０の本体外郭側を冷却風の経路とし、本体後方に図示していない排気口を設け、前記冷却風をグリル扉１４の前面とガード部材１７の隙間に対しても冷却風を送風することを特徴とする加熱調理器である。前記第２の冷却ファンは、グリル加熱室１０とグリル加熱室１０が配置されている側の本体外郭との間に配置されているため、グリル加熱室１０が配置されている側の本体外郭を冷却するとともに、グリル扉１４の前面とガード部材１７の隙間に冷却風を送風することができるため、本体の冷却性能を向上させることができる。更に、グリル扉１４近傍から、冷却風を前記グリル扉１４とガード部材１７の隙間に送風することで、より効率的にガード部材１７としての機能がより一層高まる構成となっている。また、グリル加熱室１０側の本体外郭に吹出口１８を設けることで、その吹出口１８を経路として、前記冷却ファン９により冷却風を送風し、グリル扉１４とガード部材１７の隙間に冷却風を導くことができる。
【００６２】
（実施の形態４）
本発明の第４の実施形態における加熱調理器は、図８において、グリル扉１４の前面の全部あるいは一部を覆うガード部材１７を二重に前記グリル扉１４に着脱自在に取り付け、一重目のガード部材１７と第２のガード部材２６に隙間を設け、一重目の前記ガード部材１７と前記グリル扉１４の前面の隙間を設け、いずれかの隙間に冷却風を送風する。複数のガード部材を取り付けることで、触れる可能性のあるガード部材１７とグリル扉１４の離隔距離を大きくすることができ、熱影響をより抑制することができる。
【００６３】
また、複数のガード部材１７は、使用者側に近づくほど、耐熱性の低い材料を用いることができる。
【産業上の利用可能性】
【００６４】
以上のように、本発明にかかる加熱調理器は、グリル加熱室を備えた加熱調理器において、使い勝手を損なうことなく、グリル扉を幼児等がうっかり触っても熱くないようにす
ることができるので、グリルの加熱手段やグリル以外の調理機能に係わらず扉を有する加熱調理器全般に適用できる。
【符号の説明】
【００６５】
１  外郭
２  天板
３  トップフレーム
４  天面操作部
５  前面操作部
６  誘導加熱コイル
７  コイルケース
８  電源回路
９  冷却ファン
１０  グリル加熱室
１１  グリルヒーター
１２  焼き網
１３  受け皿
１４  グリル扉
１５  持ち手
１６  窓部
１７  ガード部材
１８  吹出口
１９  遮蔽部
２０  持ち手カバー部
２１  穴部
２２  突起
２３  空気層
２４  第２の冷却ファン
２５  第２の吹出口
２６  第２のガード部材
２７  熱反射板あるいは断熱材
【図１】
0005824652.tif 000002
【図２】
0005824652.tif 000003
【図３】
0005824652.tif 000004
【図４】
0005824652.tif 000005
【図５】
0005824652.tif 000006
【図６】
0005824652.tif 000007
【図７】
0005824652.tif 000008
【図８】
0005824652.tif 000009
【図９】
0005824652.tif 000010